(57)【要約】【課題】ＣＭＴＳ１２に異常が発生した場合，センター局１０において早期に確認する手間と人員が必要であった。【解決手段】センター局１０には，少なくとも１個の監視用ケーブルモデム１７と，ＣＭＴＳ１２へ電源供給するための電源供給手段１８を設け，上記監視用ケーブルモデム１７の動作状態の情報を取得すると共に，その動作状態が一定の条件を満たしていると判断したのならば，更に上記ＣＭＴＳに接続された加入者側のケーブルモデム２の接続状態を確認し，この接続状態が一定条件を満たしていると判断したのならば，上記電源供給手段を制御して，当該電源供給手段によるＣＭＴＳへの電源供給をＯＦＦにし，一定時間後にＯＮすることで，上記ＣＭＴＳをリセットすると共に，リセット後のＣＭＴＳの状態を判断して，その取得した結果を表示手段に表示する。【選択図】  図１
2005033644.tif 000002
【特許請求の範囲】
【請求項１】
ＣＡＴＶ網に複数のケーブルモデムとケーブルモデムターミネーションシステムとを接続して双方向通信を可能としたケーブルモデムシステムにおいて，
センター局には，少なくとも１個の監視用ケーブルモデムと，上記ケーブルターミネーションシステムへ電源供給するための電源供給手段を設け，
上記監視用ケーブルモデムの動作状態の情報を取得すると共に，その動作状態を判断して，上記電源供給手段から上記ケーブルモデムターミネーションシステムへの電源供給のＯＮ／ＯＦＦを管理するケーブルモデム管理装置を設けたことを特徴としたケーブルモデムシステム。
【請求項２】
上記ケーブルモデム管理装置は，上記ケーブルモデムターミネーションシステムに接続された，上記監視用ケーブルモデムの動作状態の情報を取得し，その動作状態が一定の条件を満たしていると判断したのならば，更に上記ケーブルモデムターミネーションシステムに接続された加入者側のケーブルモデムの接続状態を確認し，この接続状態が一定条件を満たしていると判断したのならば，上記電源供給手段を制御して，当該電源供給手段によるケーブルモデムターミネーションシステムへの電源供給をＯＦＦにし，一定時間後にＯＮすることで，上記ケーブルモデムターミネーションシステムをリセットすると共に，リセット後のケーブルモデムターミネーションシステムの状態を判断して，その結果を表示手段に表示するように構成したことを特徴とした請求項１に記載のケーブルモデムシステム。
【請求項３】
上記表示手段はセンター局内に備えさせ，当該表示手段に上記ケーブルモデムターミネーションシステムの状態を表示するように構成したことを特徴とする請求項１又は請求項２の何れかに記載のケーブルモデムシステム。
【請求項４】
上記表示手段はセンター局外に備えさせ，当該表示手段に上記ケーブルモデムターミネーションシステムの状態を表示するように構成したことを特徴とする請求項１乃至請求項３の何れかに記載のケーブルモデムシステム。
【発明の詳細な説明】
【技術分野】
【０００１】
本発明は，ＣＡＴＶ網を利用して双方向通信を可能とするケーブルモデムシステムに関し，詳しくはそのシステム監視に関する。
【背景技術】
【０００２】
ＣＡＴＶ網を利用して双方向通信を行う場合，加入者宅にはデータ変換装置や変調器，復調器を内蔵したケーブルモデムが設置されると共に，センター局にはそれらのモデムを管理したり，ケーブルモデムに対して外部ネットワークからのＩＰデータ等を分配したり，ケーブルモデムからの上りデータを収集するケーブルモデムターミネーションシステム（以下，ＣＭＴＳと記載する。）及び，ケーブルモデムやＣＭＴＳ等を管理するケーブルモデム管理装置が設置される。このケーブルモデム管理装置にはネットワーク管理プロトコルであるＳＮＭＰやＩＣＭＰが使用されている。そして，加入者宅に設置されたケーブルモデムのパラメーター設定は，ケーブルモデムの電源ＯＮ時にケーブルモデム管理装置によって行われる，その後はケーブルモデムのデータベースであるＭＩＢをＳＮＭＰにより取得することで動作状態を監視していた。（例えば，特許文献１参照）
【０００３】
【特許文献１】特開２００１-１５７１８１号公報
【発明の開示】
【発明が解決しようとする課題】
【０００４】
しかし，従来のケーブルモデムシステムにおいては，例えば，ＣＭＴＳに不具合が発生した時は，その不良解析と対策にセンター局員の人手が必用であり，非常に手間がかかっていた。またこの事は，ＣＡＴＶインターネット利用者にとっては長時間にわたりサービスを利用できないといった問題となっていた。
そこで本願においては，こうした問題点を解決するためになされたものであり，
その目的は，ＣＭＴＳの異常を早期に判定できるケーブルモデムシステムを提供することにある。
他の目的は，ＣＭＴＳの異常を早期に判定すると共に，異常情報をセンター局内の表示手段に表示させることのできるケーブルモデムシステムを提供することにある。
他の目的は，ＣＭＴＳの異常を早期に判定すると共に，センター局外の表示手段に表示させることのできるケーブルモデムシステムを提供することにある。
【課題を解決するための手段】
【０００５】
上記課題を解決するために，請求項１の発明は，ＣＡＴＶ網に複数のケーブルモデムとケーブルモデムターミネーションシステムとを接続して双方向通信を可能としたケーブルモデムシステムにおいて，センター局には，少なくとも１個の監視用ケーブルモデムと，上記ケーブルターミネーションシステムへ電源供給するための電源供給手段を設け，上記監視用ケーブルモデムの動作状態の情報を取得すると共に，その動作状態を判断して，上記電源供給手段から上記ケーブルモデムターミネーションシステムへの電源供給のＯＮ／ＯＦＦを管理するケーブルモデム管理装置を設けるように構成される。
【０００６】
請求項２の発明は，上記ケーブルモデム管理装置は，上記ケーブルモデムターミネーションシステムに接続された，上記監視用ケーブルモデムの動作状態の情報を取得し，その動作状態が一定の条件を満たしていると判断したのならば，更に上記ケーブルモデムターミネーションシステムに接続された加入者側のケーブルモデムの接続状態を確認し，この接続状態が一定条件を満たしていると判断したのならば，上記電源供給手段を制御して，当該電源供給手段によるケーブルモデムターミネーションシステムへの電源供給をＯＦＦにし，一定時間後にＯＮすることで，上記ケーブルモデムターミネーションシステムをリセットすると共に，リセット後のケーブルモデムターミネーションシステムの状態を判断して，その結果を表示手段に表示するように構成される。
【０００７】
請求項３の発明は，上記表示手段はセンター局内に備えさせ，当該表示手段に上記ケーブルモデムターミネーションシステムの状態を表示するように構成される。
【０００８】
請求項４の発明は，上記表示手段はセンター局外に備えさせ，当該表示手段に上記ケーブルモデムターミネーションシステムの状態を表示するように構成される。
【発明の効果】
【０００９】
以上詳述したように，請求項１の発明によれば，ＣＡＴＶ網に複数のケーブルモデムとＣＭＴＳとを接続して双方向通信を可能としたケーブルモデムシステムにおいて，センター局には，少なくとも１個の監視用ケーブルモデムと，上記ＣＭＴＳへ電源供給するための電源供給手段を設け，上記監視用ケーブルモデムの接続状態の情報を取得すると共に，その接続状態からＣＭＴＳの動作状態を判断して，上記電源供給手段から上記ＣＭＴＳへの電源供給のＯＮ／ＯＦＦを管理するケーブルモデム管理装置を設けるように構成したので，当該ケーブルモデム管理装置は，ＣＭＴＳに不具合が発生して，監視用ケーブルモデムとの接続が維持できなくなった情報を判断して，上記ＣＭＴＳへの電源供給手段をＯＦＦし，その後ＯＮすることによって，上記ＣＭＴＳのリセットを行い，これによってＣＭＴＳを復旧させることができ，ＣＡＴＶインターネット利用者が長時間にわたりサービスを利用できないといった問題が無くなるといった有用性の高いケーブルモデムシステムを提供できるのである。
【００１０】
請求項２の発明によれば，上記ケーブルモデム管理装置は，上記ケーブルモデムターミネーションシステムに接続された，上記監視用ケーブルモデムの動作状態の情報を取得し，その動作状態が一定の条件を満たしていると判断したのならば，更に上記ケーブルモデムターミネーションシステムに接続された加入者側のケーブルモデムの接続状態を確認し，この接続状態が一定条件を満たしていると判断したのならば，上記電源供給手段を制御して，当該電源供給手段によるケーブルモデムターミネーションシステムへの電源供給をＯＦＦにし，一定時間後にＯＮすることで，上記ケーブルモデムターミネーションシステムをリセットすると共に，リセット後のケーブルモデムターミネーションシステムの状態を判断して，その結果を表示手段に表示するように構成したので，ケーブルモデム管理装置は，ＣＭＴＳに接続されている加入者側の全てのケーブルモデムが接続維持できているかを常時監視していなくとも，センター局側に備えた監視用ケーブルモデムの動作状態を監視して，その接続状態が一定の条件を満たすかどうかを確認しているだけで自動的にＣＭＴＳの動作状態の診断が素早くできる。更にこの判断において，ＣＭＴＳの動作に異状が見られれば，ケーブルモデム管理装置は上記ＣＭＴＳに接続されている加入者側のケーブルモデムの接続状態を素早く確認を行うことで，その接続状態によっては，ＣＭＴＳをリセットすることで動作不良の対応が自動的に復旧できるのである。更に，ＣＭＴＳをリセットしても当該ＣＭＴＳが復旧しない場合は，ＣＭＴＳが動作不良を起こしていることを，ポップアップウインドウまたは警報音またはＥメール等で通報がされ，センター局側でＣＭＴＳの動作異常に素早く対応でき，延いてはＣＡＴＶインターネット利用者がＣＡＴＶインターネット等のサービスを利用できない時間を最小限にできるケーブルモデムシステムが提供できるのである。
【００１１】
請求項３の発明によれば，上記表示手段はセンター局内に備えさせ，当該表示手段に上記ケーブルモデムターミネーションシステムの状態を表示するように構成したので，ケーブルモデムターミネーションシステムの動作異常を判断した結果が，センター局の管理者の誰もが容易に気付くことができ，システムの復旧や，その為の人員の配置や動員が迅速に行えるといった有用性に高いケーブルモデムシステムが提供できるのである。
【００１２】
請求項４の発明によれば，上記表示手段はセンター局外に備えさせ，当該表示手段に上記ケーブルモデムターミネーションシステムの状態を表示するように構成したので，ケーブルモデムターミネーションシステムの動作異常を判断した結果が，例えば携帯電話や自宅のパソコンなどの表示手段に表示され，センター局の管理者に素早く連絡をすることができ，人員の配置や動員が迅速に行えるといった有用性に高いケーブルモデムシステムが提供できるのである。
【発明を実施するための最良の形態】
【００１３】
以下に，本発明を具体化した実施形態の１例を，図面を基に詳細に説明する。
図１は本発明に係るケーブルモデムシステムを示しており，図２は本発明に係るケーブルモデム管理装置の動作を示すフローチャートである。
【実施例１】
【００１４】
図１において，１はＣＡＴＶ網，２はケーブルモデム，３は加入者端末機であるパーソナルコンピュータである。
１０はセンタ−局であり，当該センター局１０には，ケーブルモデム管理装置１１，ＣＭＴＳ１２，が備えさせてあり，ヘッドエンド装置１３から，ＣＡＴＶ網１を介してケーブルモデム２を管理している。
１４はスイッチングハブであり，上記ＣＭＴＳ１２，ケーブルモデム管理装置１１が接続されていると共に，上記スイッチングハブ１４にはルータ１５が接続されており，当該ルータ１５を介してセンター局１０はインターネット２０に接続されており，ＣＡＴＶ加入者同士の通信や，外部のＬＡＮやインターネット等との接続を可能としている。
【００１５】
上記スイッチングハブ１４には，ネットワーク経由でＯＮ／ＯＦＦを制御可能な電源供給手段１８が接続されており，上記ＣＭＴＳ１２は上記電源供給手段１８から電源供給を受けている。更には，上記ＣＭＴＳ１２とヘッドエンド１３とを接続する接続線には，監視用ケーブルモデム１７が少なくとも１台接続されて，本願のケーブルモデムシステムが構成されている。
【００１６】
次に，上記ケーブルモデムシステムについて詳細に説明する。ケーブルモデム管理装置１１は，ケーブルモデム２のＩＰアドレスを設定したり動作パラメーター設定ファイルを作成してケーブルモデム２に転送したりすることで，ケーブルモデム２の設定を行っていた。そしてこの設定は，上記ケーブルモデム２が設置された時点（電源を入れた時点）で行われる。
更に，ＣＭＴＳは常にＣＡＴＶ網内の複数のケーブルモデムに外部ネットワークからのＩＰデータ等を分配したり，ケーブルモデムからの上りデータを収集している。
従って，ＣＭＴＳ１２に不具合が発生した時は，これらの動作ができなくなるのであるが，その不良解析と対策にセンター局員の人手が必用であり，非常に手間がかかっていた。またこの事は，ＣＡＴＶインターネット利用者にとっては長時間にわたりサービスを利用できない状態となっていた。
【００１７】
そこで，本発明においては，ＣＭＴＳ１２とヘッドエンド１３の間に，少なくとも１台の監視用ケーブルモデム１７を備えさせて，上記ケーブルモデム管理装置１１には，上記ＣＭＴＳ１２を介して当該監視用ケーブルモデム１７の動作状態や接続状態を確認する機能を備えさせて，上記ＣＭＴＳ１２の動作状態の良否を判定し，その結果が一定条件を満たしたのならば，次に上記ＣＭＴＳが接続している加入者側のケーブルモデムの接続状況を確認し，この接続状況が一定の条件を満たしたのならば，上記電源供給手段１８をＯＦＦ／ＯＮすることでＣＭＴＳ１２をリセットさせたり，このリセットした後のＣＭＴＳの動作状態を表示手段に表示させたりするように構成されている。
【００１８】
ケーブルモデム管理装置１１について更に詳しく説明する。図２に本願の関する手順のフローチャートを示す。
ここで条件として，ｎ個の監視用ケーブルモデム（図２では監視用ＣＭと記載されている。）１７がＣＭＴＳ１２に接続されているとする。
先ず，ステップ１において，ｎ個の監視用ケーブルモデムの動作確認を順次行う。次にステップ２において，ＣＭＴＳに接続されているｎ個の監視用ケーブルモデムが動作しているかどうかを判断する。監視用ケーブルモデムに動作異常が確認されても，同じＣＭＴＳに接続されている他の監視用ケーブルモデムが正常に動作しているのであれば，ステップ３において一定時間待機してからステップ１に戻って監視処理を継続する。
【００１９】
ステップ２において，同じＣＭＴＳに接続されている全ての監視用ケーブルモデムが，正常に動作しているかどうか確認ができない時は，ステップ４においてＣＭＴＳが接続維持の処理をしている加入者側のケーブルモデム２の台数をＣＭＴＳから取得して，ステップ５においてこの接続維持されている加入者側のケーブルモデムの台数がゼロであるかどうかを判断する。
接続維持されているケーブルモデムの台数がゼロでない場合は，ステップ１に戻って，監視処理を継続する。接続維持されているケーブルモデムの台数がゼロとなった場合（即ち全ての加入者側のケーブルモデムが接続維持されていない状況）は，ステップ６においてＣＭＴＳをリセットする。
【００２０】
ここで，ＣＭＴＳ１２のリセットと復旧の処理について説明する。本願においてＣＭＴＳ１２は，ネットワークにおいて電源供給のＯＮ／ＯＦＦの制御が可能な電源供給手段１８から電源供給を受けるように構成されている。
そこで，上記フローチャートにおいて説明したステップ５において，接続維持されている加入者側のケーブルモデムの台数がゼロとなった場合に，上記ケーブルモデム管理装置１１には，上記電源供給手段１８をコントロールして，ＣＭＴＳ１２に供給する電源がＯＮであったのをＯＦＦにし，一定時間後にＯＮにするようなリセット機能を持たせてある。こうしてリセットが済んだのなら次にステップ７においてケーブルモデム管理装置１１に備えさせた機能によってＣＭＴＳ１２の復旧確認をするのである。
【００２１】
こうしてステップ７においてＣＭＴＳ１２が復旧したどうかの確認がされたときにはステップ３において一定時間待機した後，ステップ１に戻って監視処理を引き続き継続する。
ＣＭＴＳ１２の復旧の確認がなされないときには，ステップ９においてＣＭＴＳ１２の復旧が確認されなかった回数が，予め設定された回数（この実施例では２回）と同じになったかどうか判定する。判定回数が設定された回数より少ない場合は，ステップ６に戻って，改めてＣＭＴＳ１２をリセットして復旧を確認する。判定回数が予め設定された回数と同じになったのなら，ステップ１０に進んでＣＭＴＳ１２の復旧が未確認であることの信号を送出して，ポップアップウインドウまたは警報音またはＥメール等で通報を行い，その後ステップ３に戻って一定時間待機した後に監視処理を継続する。
尚，本願に示す実施例では，上記に示す通報方法の内，ひとつの方法でもって通報するように構成しているが，この実施例に限定されるものではなく，適宜通報の方法を組み合わせて通報するように構成しても良い。
【００２２】
このように，ＣＡＴＶ網１に複数のケーブルモデム２とＣＭＴＳ１２とを接続して双方向通信を可能としたケーブルモデムシステムにおいて，センター局１０には，少なくとも１個の監視用ケーブルモデム１７と，上記ＣＭＴＳ１２へ電源供給するための電源供給手段１８を設け，ケーブル管理装置１１は，上記監視用ケーブルモデム１７の接続状態の情報を取得すると共に，その接続状態を判断して，一定条件を満たしたのならば，上記ＣＭＴＳ１２に接続されている加入者側のケーブルモデム２の接続状態を確認する。この時，同じＣＭＴＳ１２に接続されているケーブルモデムの接続維持処理が全くできていない場合に，上記ケーブルモデム管理装置１１は，上記電源供給手段１８から上記ＣＭＴＳ１２への電源供給をＯＮからＯＦＦにし，一定時間後にＯＮにすることでＣＭＴＳ１２のリセットを行う。そして一定条件の間にリセットを行ってもケーブルモデム管理装置１１によってＣＭＴＳ１２の復旧が確認できない時は，当該ケーブルモデム管理装置１１によって，上記ＣＭＴＳ１２が異常動作状態であることを表示手段に表示するようにしたので，センター局の管理者はＣＭＴＳ１２の異常動作による通信異常を早期に発見でき，素早い対応が可能となるのである。
尚，本願においては，センター局に備えられた全ての監視用ケーブルモデムの接続状態が確認されない時であって，さらにＣＭＴＳに接続されたケーブルモデムがすべて接続維持されていない場合に，上記電源供給手段をＯＦＦ／ＯＮしてＣＭＴＳをリセットするように構成されているが，この実施例に限定されるものでなく，その接続異状の割合を予め決めておき（例えば５０パーセント）これによってＣＭＴＳをリセットするようにしても良い。
【００２３】
本発明は上記実施の形態に限定されるものではなく，本発明の趣旨を逸脱しない範囲で各部の構成を適宜に変更して実施することも可能である。
また表示手段は，ケーブルモデム管理装置１１に備えさせても良いし，センター局１０内に別途表示手段を設けても良い。更にセンター局外にある端末装置に表示させる方法でもよいし，両方に備えさせても良い事は言うまでもない。更に，上記フローチャートは本発明の一実施例を示したものであり，この実施例に限定されるものではなく，必用に応じて適宜変更して構成しても良い事は言うまでもない。
【産業上の利用可能性】
【００２４】
ＣＡＴＶ網に複数のケーブルモデムとケーブルモデムターミネーションシステムとを接続して双方向通信を可能としたケーブルモデムシステムにおいて，センター局に備えられた装置への利用ばかりでなく，端末側の情報端末にも拡大して使用できる。
【図面の簡単な説明】
【００２５】
【図１】本発明に係るケーブルモデムシステムを示している。
【図２】図２は本発明に係るケーブル管理装置の動作を示すフローチャートである。
【符号の説明】
【００２６】
１…ＣＡＴＶ網，２…ケーブルモデム，３…パソコン，１０…センター局，１１…ケーブルモデム管理装置（ケーブルモデム起動サーバー），１２…ケーブルモデムターミネーションシステム（ＣＭＴＳ），１３…ヘッドエンド，１４…スイッチングハブ，１５…ルータ，１７…監視用ケーブルモデム，１８…電源供給手段，２０…インターネット。
【図１】
2005033644.tif 000003
【図２】
2005033644.tif 000004